(57)【要約】【課題】従来の指圧ハンドルはコリほぐし用で心地よくコリを予防する全身指圧には向かないものであった。【解決手段】軟質塩化ビニールのホースが円弧状にされ端部に加工が施された指圧ハンドル１によって心地よく全身を指圧し、災害発生時には車両ドアテントの中で血瘤発生による死亡事故を予防し、幟凧を繋いで避難誘導やＳＯＳの合図に使い、これを普段は屋内で心身を壮快にする体操に使い、更に集まって地域のコミュニティを構築し、アイデアを量産する活動を促す道具になる指圧ハンドル１である。【選択図】図１
2018038445.tif 000002
【特許請求の範囲】
【請求項１】
軟質塩化ビニールの握れる太さの又は楽に握れる太さのホースが円弧状に曲げられて、ホースの両端末が輪切りにされ、ホースの両端部に小指が入る程度の穴又は小指用穴が設けられ、円弧状のホースの内側面の両端部において端縁の半分に達する切り欠きが形成された指圧ハンドル。
【請求項２】
前記指圧ハンドルを寝かせた両端をＡ４版の対角に置いた時にＡ４版の中に収まる長さを有した請求項１の指圧ハンドル。
【請求項３】
前記円弧状のホースの中に折り鶴などのマスコットを吊り下げた請求項１又は２の指圧ハンドル。
【発明の詳細な説明】
【技術分野】
【０００１】
本発明は毎日全身を叩く、さする、つつく、掻くという一連の指圧がすべて出来て、災害発生時には車両ドアテントの中で血瘤による死亡事故を防ぎ、幟凧に繋いで避難誘導やＳＯＳの合図に使う指圧ハンドルとした。
【背景技術】
【０００２】
（イ）  従来の指圧ハンドルには、握る柄の先に金槌状の部分を設けて指圧するものがあった。（下記特許文献１参照）
【０００３】
（ロ）あるいは、棒状の柄に続いて棒状の叩く部分を有し、そこがスリットになっていて打音が出るようにしたものがあった。（下記特許文献２参照。）
【０００４】
【特許文献１】特願２００４−２９０３５１公報
【特許文献２】特願平１１−３８９４７公報
【０００５】
以下図２１図２２により従来の指圧ハンドルについて説明する。
これらには次のような欠点があった。
（ａ）文献１のものにあっては、１回に叩く範囲が狭く限られているという欠点があった。また握り側と叩き側が別の構造で、左右持ち換えの都度指圧が途切れるという欠点があった。
【０００６】
（ｂ）特許文献２のものにあっては、全身を叩くには姿勢に無理があるという欠点があった。
【０００７】
（ｃ）また打音の音量の調節が出来ないという欠点があった。
【発明の概要】
【発明が解決しようとする課題】
【０００８】
以上に述べた従来の指圧ハンドルに関しては身近に置いて体操代わりに使えるものではなかった。
【０００９】
本発明は、このような従来の構成が有していた問題や欠点を解決しようとするものであり、全身を隈なく叩いたり、さすったりして指圧でき、つつく刺激や掻く刺激を与えることができることを目的とするものである。
【００１０】
また体の表面を刺激する指圧と、身体の内部まで届く指圧との両方について指圧ハンドルを握る力加減一つで簡単に使い分けられることを目的とするものである。
【００１１】
また目をつむったまま右手から左手へ左手から右手へと指圧ハンドルをバトンタッチして全身を休みなく指圧出来て頭のてっぺんから足の裏まで全身を指圧しながら結果として柔軟体操や屈伸運動になる指圧ハンドルを目的とするものである。
【００１２】
また身体の内部まで届く叩き方の際にはポコポコという感じの快い音を発することを目的とするものである。
【００１３】
また血流が良くなって痒みが生じた時に手の届かない背中を掻くために孫の手と呼ばれる道具の代わりに用いることを目的とするものである。
【００１４】
また全身をさすることで、血流やリンパ液の流れを促し爽快感を得ることを目的とするものである。
【課題を解決するための手段】
【００１５】
そして、本発明は上記目的を達成するために軟質塩化ビニールの握れる太さの又は楽に握れる太さのホースが円弧状に曲げられて、ホースの両端末が輪切りにされ、ホースの両端部に小指が入る程度の穴又は小指用穴が設けられ、円弧状のホースの内側面の両端部において端縁の半分に達する切り欠きが形成された指圧ハンドルを第一の課題解決手段としたものである。
【００１６】
そして前記指圧ハンドルを寝かせた両端をＡ４版の対角に置いた時にＡ４版の中に収まる長さを有した指圧ハンドルを第２の解決手段としたものである。
【００１７】
そして前記円弧状のホースの中に折り鶴などのマスコットを吊り下げた指圧ハンドルを第３の課題解決手段としたものである。
【００１８】
上記第１の課題解決手段による作用は次の通りである。すなわち指圧ハンドルに小指を通して残る指で指圧ハンドルを強く握った場合は手首を小刻みに揺するだけでホース端末の切り欠いて尖った部分が快いリズムで体の表面を指圧して、痛くない程度の刺激を与える作用がある。
【００１９】
また指圧ハンドルに通した小指を強く把持し、残る指を緩く沿えるだけにした場合は、スナップが効いて僅かな力で体を十分強く叩けて、円弧状に曲がったホースの表面が長い範囲で体に沿って当り、少ない回数で広い範囲を力強く指圧出来る作用がある。
【００２０】
また指圧を全身隈なく行えることで、屈伸運動と柔軟体操も同時にできる作用がある。
【００２１】
また指圧ハンドルは構造が単純なので一拭きで綺麗になり、清潔で、机の上に転がることなく、取りあげやすくアーチ状に置けて仕事の合間にも例えばパソコン等の脇に置いてたびたび取り上げて指圧出来るという作用がある。
【００２２】
また指圧ハンドルが体に当る際の振動がホースの中の空気柱に共振してポコポコという快い音を出し指圧が楽しくなるという作用がある。また音を他の人に気兼ねする際はホースの端部にハンカチーフを詰めることで管楽器の弱音器の様な消音効果があるという作用がある。
【００２３】
また、血流が良くなって痒みが生じた時に手の届かない背中をこのハンドルで掻くことが出来、従来の孫の手と呼ばれる道具よりも指圧ハンドルの曲がりが無理な姿勢をとらないで背中を掻くことが出来、しかも軟質塩化ビニールの尖り部の柔らかさが体への当たりが優しくて程が良く、従来の孫の手と呼ばれるものが不要になるという作用がある。
【００２４】
また、ラジオ体操や集まっての体操と違い自宅や職場の休憩所などで自発的に自由な時間に使えるために継続できる健康つくりという社会全体に影響を及ぼす効果を発揮する作用がある。
【００２５】
また、軟質塩化ビニールホースの性質から体への当たりが程良く、比重が高いので、例えば内径３２ミリメートル外径３８ミリメートルのホースがこの長さで１．３キログラム超の重さになり、これを一定のリズムで振ることで十分なこりほぐしの手応えが得られるという作用がある。
【００２６】
また軟質塩化ビニールの性質から、沸騰水の温度で軟化し、常温で形状が固定するので曲がりの量を各人が体格に合わせて微調整ができるという作用がある。
【００２７】
また指圧ハンドルのどちらを握っても良い構造の為に目をつむったままで指圧が済むまでの間、右手と左手を自由に持ち換えられて効果を感じたままの状態を維持でき、例えば視力に恵まれない方にも自然に持ち換えながら指圧が続けられて途中で手探りなどをする必要が無いという作用がある。
【００２８】
また楽しく気持ちよく自発的にやりたくなる自宅や職場の体操として幟凧を使った運動と合わせて、健康維持に役立つという作用がある。
【００２９】
また上記第２の課題解決手段による作用は幟凧をＡ４版サイズに折り畳んでこの指圧ハンドルと一緒に持ち寄って、グループでの体操が出来、幟凧の巻き芯意匠登録第１５３１８１０号によってコミュニティーを構成し、互いにヒントを出し合って各人の潜在能力を活用しながら暮らしのアイデアを生み出すとともに、防災組織の構築と強化にも役立つという作用がある。
【００３０】
また災害の際に避難誘導やＳＯＳの目印になる幟凧（特許第５９５０３４７号）のハンドルがＡ４サイズに巻き畳んで収納できるためにこのハンドルを一緒に持ち歩きやすく、このハンドルの構造から腕の返しと反りが合算されて、不慣れない人でも疲れずに上手に幟凧を振り続けることができるという利点がある。
【００３１】
普段楽しく自由な時間に自発的にやりたくなるこの指圧の運動と、幟凧を繋いで茶の間の空間に無限大を表す横向きの８の字を描く運動とを２点セットにできるという利点がある。
【００３２】
また自動車で出かける際は自動車のドアを壁とし、ドアガラスで高さを決め、タイヤにヌンチャクで抑えをとり、自動車の乗降用取っ手に支えをとる瞬間目隠し車両ドアテント（特許第５９６０６６３号）と、運転の疲れ直しの本指圧ハンドルを２点セットにできて災害時には一時避難するマイカーの車両ドアテントの中で全身を指圧して血瘤発生による死亡事故を予防できるという利点がある。
【００３３】
防災や急場の目隠しになる車両ドアテントと避難誘導やＳＯＳの連絡用等に使う幟凧と疲れ直しの指圧ハンドルを車載常備の３点セットにすることができるという利点がある。
また上記第２の課題解決手段による作用は次の通りである。すなわちこの指圧ハンドルをＡ４ノートサイズに折り畳んだ幟凧と同じ大きさに持ち歩けて災害発生時に役立つ連絡用の幟凧のハンドルとして使うことができるという作用がある。
【００３４】
また上記第３の課題解決手段による作用は次の通りである。指圧ハンドルを各人が一つづつ欲しい場合にはテーブル等の上にアーチ状に置いたチューブの中に折り紙などのマスコットが吊り下げられて誰のものか区別出来るとともに、指圧ハンドルがマスコットの飾りケースも兼ねるという作用がある。
【発明の効果】
【００３５】
上述したように本発明の指圧ハンドルは癖に成る程気持ちよく自由な時間に全身の指圧ができて毎日全身を叩く、さする、つつく、掻くという一連の指圧がすべて出来るという効果がある。
【００３６】
また、この指圧ハンドルを幟凧に繋ぐことで、幟凧の頭部の骨格が前方領域と後方領域に分かれていて、両領域の角度が自在に変化する特許第３６６８８９０号の構造とこの指圧ハンドルの曲がりから生まれる特性とがマッチして指圧ハンドルを幟凧に繋いだ屋内の華やかな体操として手軽に実現できるという効果がある。
【００３７】
またこの指圧ハンドルを野外でＳＯＳ用の幟凧を振る為に使うに際しては扱ったことが無い人でもハンドルの曲がりが腕の返しと合致して合図の幟凧を頭上に大きく振り続けることができるという効果があり、また端末に小指が入るので幟凧がハンドルごと風に飛ばされる心配もないという効果がある。
【００３８】
また指圧ハンドルを身近に置く際に、各人用の目印のマスコットがあることで一層各人が一斉に指圧を兼ねた運動を行いやすくなるという効果がある。
【図面の簡単な説明】
【００３９】
【図１】本発明の実施形態を示す指圧ハンドルの全体図
【図２】同Ａ矢視図
【図３】同Ｂ矢視図
【図４】同Ｃ矢視図
【図５】同全長を示す全体図
【図６】同使用時の小指を通した把持要領図
【図７】同立面図
【図８】同マスコットを入れた際の側面図
【図９】同マスコットを入れるスリットと固定するスリットの事例図
【図１０】同マスコットを挿入し吊り下げた一例を示す断面図
【図１１】同身体各部への刺激を与える指圧を示す側面図
【図１２】同頭部への例
【図１３】同腕などへの例
【図１４】同足の裏への例
【図１５】同力強く叩く例
【図１６】同手首の捻りで広範囲を叩く例
【図１７】同湾曲させた構造が広い範囲を叩く例
【図１８】同幟凧に繋いで屋内空間に遊泳させる体操の例
【図１９】同テントとセットで血瘤発生による死亡事故防止を行う例
【図２０】同ハンドルを幟凧に繋いで避難誘導やＳＯＳの連絡に使う事例
【図２１】従来の特許文献１の例
【図２２】従来の特許文献２の例
【発明を実施するための形態】
【００４０】
以下本発明の実施の形態を図1〜図２０に基づいて説明する。
【００４１】
図１は実施の全体寸法を数値で示している。
【００４２】
図２は図１のＡ矢視図を数値で示している。
【００４３】
図３は図１のＢ矢視図を数値で示している。
【００４４】
図４は図１のＣ矢視図を数値で示している。
【００４５】
図において、図５は全体寸法をＡ４版サイズに収めた状況を示している。
【００４６】
図６は指圧ハンドルの握り方を示している。
【００４７】
図７は全体のイメージを示している。
【００４８】
図８は飾りとしての置き方を示し、破断面で中のマスコットを示している。
【００４９】
図９はパイプに設けられた縦横のスリットを示している
【００５０】
図１０は図９の矢視断面でマスコットを挿入して固定した様子を示している。
【００５１】
図１１は使用状況の一例の体に触れる部分を示している。
【００５２】
図１２は頭部を刺激している状況を示している。
【００５３】
図１３は全身を刺激している状況を示している。
【００５４】
図１４は足の裏を刺激している状況を示している。
【００５５】
図１５は全身を叩く指圧を行っている状況を示している。
【００５６】
図１６は手首の角度と指圧範囲の関係を示している
【００５７】
図１７は体にハンドルの曲がりが馴染んでいる様子を示している。
【００５８】
図１８は幟凧に使っている関係位置を示している。
【００５９】
図１９は車両ドアテントとのセットで使っている関係位置を示している。
【００６０】
図２０は避難誘導や、ＳＯSに使っている関係位置を示している。
【００６１】
以下、上記構成の動作を説明する。軟質塩化ビニールホースの直径３８ミリメートル肉厚３ミリメートルのパイプをＡ４版に斜めに収まる約３４０ミリメートルの長さの中央で３０から４０ミリメートル湾曲させて指圧ハンドル１を構成する。この指圧ハンドル１はこのことから以下の優れた特性を産んでいる。
【００６２】
また、小指で把持して他の指は柔らかく握った時にはスナップが利いて体に広く馴染むように当って体の内部まで指圧の効果が及ぶ。
【００６３】
また、強く把持した時には柔らかな材質の鈍角の尖り部が体の表面を刺激し、血流が良くなって痒くなった時には柔らかに掻いてくれる優れた動作を発揮する。
【００６４】
また、机の上などに置いた時には４個の尖り部又は切り欠き突起部５が４つ足になって取りやすく安定しておくことができる。なおチューブ１をマスコット８を収めた飾りケースに見せることもできる。
【００６５】
また１．３キログラムを越す重量が丁度良く小指を支点として遇力を産み自然に腕の返しを促して熟練なしに幟凧を上手に遥か頭上に横８の字に遊泳させることができる。
【００６６】
また、このような各部のバランスが指圧を治療専門でなく毎日の予防の体操とし、幟凧を繋いで心身壮快の茶の間空間の体操とし、車両ドアテントとの組み合わせでは血瘤発生による死亡事故を予防し、野外では幟凧に繋いで先導の旗となり、避難誘導の案内になり、ＳＯＳの目印にすることが出来る。
【００６７】
また、指圧ではないが一連のハンドルを使った体操としてこの指圧ハンドルを両手で握って力一杯に左右に引き、また左右から力一杯押して昔潜水艦の中で行われたと言われる筋力維持トレーニングを再現できる。また、曲がりをお腹に合わせてから息を吐ききって大気圧でお腹を凹ませるゲージにできる。
【００６８】
また、比較対象の指圧ハンドルではないが、得られる効果として同じマッサージ用の椅子がある。このマッサージ用の椅子と比較して室内で普段使わない時に邪魔にならないでテーブル上でマスコット８の飾りケースになる、高価でない、指圧して欲しい所が背中と足だけでなく全身である、しかも指圧の程度が一叩きごとに自由に変えられるなどの高価な指圧機の椅子を遥かに超える長所を有するものである。
【符号の説明】
【００６９】
１    円弧状に曲げられたホース
２    塩化ビニールのホースの太さ
３    小指を入れる穴
４    端縁の切り欠き位置
５    切り欠き突起部
６    折り畳んだ幟凧の大きさを示す
７    切り欠き部
８    マスコット
９    ストッパー
１０    マスコット挿入切り込み
１１    マスコット吊り下げ切り込み
１２    突起部の当て方例
１３    体を広範囲で叩く例
１４    床の幟凧
１５    空中の幟凧
１６    幟凧の糸目部の軌跡
１７    返した手首
１８    乗降ハンドルとフック
１９    タイヤとヌンチャク抑え
２０    ガラス上縁とドアの壁面
２１    テント内の指圧ハンドル
２２    避難誘導やＳＯＳに使用中の指圧ハンドル
【図１】
2018038445.tif 000003
【図２】
2018038445.tif 000004
【図３】
2018038445.tif 000005
【図４】
2018038445.tif 000006
【図５】
2018038445.tif 000007
【図６】
2018038445.tif 000008
【図７】
2018038445.tif 000009
【図８】
2018038445.tif 000010
【図９】
2018038445.tif 000011
【図１０】
2018038445.tif 000012
【図１１】
2018038445.tif 000013
【図１２】
2018038445.tif 000014
【図１３】
2018038445.tif 000015
【図１４】
2018038445.tif 000016
【図１５】
2018038445.tif 000017
【図１６】
2018038445.tif 000018
【図１７】
2018038445.tif 000019
【図１８】
2018038445.tif 000020
【図１９】
2018038445.tif 000021
【図２０】
2018038445.tif 000022
【図２１】
2018038445.tif 000023
【図２２】
2018038445.tif 000024